(57)【要約】【課題】基板側コネクタにケーブル側コネクタが連結されるとき、それらの夫々が備えるる導電性シェルの相互係合が、グラウンド接続が良好でなくなる事態を回避できる構造をもって、確実かつ堅固にしかも容易に行われるコネクタ装置を提供する。【解決手段】基板側コネクタ１２の導電性シェル１６に押圧接触部２５Ａ，２５Ｂが設けられるとともにケーブル側コネクタ１３の導電性シェル２１に受圧接触部３２Ａ，３２Ｂが設けられ、ケーブル側コネクタ１３が基板側コネクタ１２に対して第１の方向に相対移動せしめられて基板側コネクタ１２に連結されるとき、押圧接触部２５Ａ，２５Ｂが受圧接触部３２Ａ，３２Ｂに第１の方向に直交する第２の方向の押圧力を作用させて当接し、受圧接触部３２Ａ，３２Ｂが、第１及び第２の方向の夫々に直交する第３の方向の弾性変位を生じて、導電性シェル１６に係合する。【選択図】図１
2008140555.tif 000002
【特許請求の範囲】
【請求項１】
第１の絶縁ハウジング, 該第１の絶縁ハウジングにより支持されて配列配置される複数の第１の導電コンタクト、及び、上記第１の絶縁ハウジングを部分的もしくは全体的に覆う第１の導電性シェルを備え、上記複数の第１の導電コンタクトが回路基板に電気的に接続される状態をもって上記回路基板に取り付けられる基板側コネクタと、
第２の絶縁ハウジング, 該第２の絶縁ハウジングにより支持されて配列配置される複数の第２の導電コンタクト、及び、上記第２の絶縁ハウジングを部分的もしくは全体的に覆う第２の導電性シェルを備え、上記複数の第２の導電コンタクトに複数のケーブルが電気的に接続されたもとで、上記基板側コネクタに対して該基板側コネクタに向かう第１の方向に相対移動せしめられ、上記複数の第２の導電コンタクトを上記複数の第１の導電コンタクトに夫々接触させる状態をもって上記基板側コネクタに連結されるケーブル側コネクタと、
を含んで成り、
上記第１の導電性シェルに押圧接触部もしくは受圧接触部が設けられるとともに上記第２の導電性シェルに受圧接触部もしくは押圧接触部が設けられ、
上記ケーブル側コネクタが上記基板側コネクタに連結されるとき、上記押圧接触部が上記受圧接触部に上記第１の方向に直交する第２の方向の押圧力を作用させて当接し、上記第２の導電性シェルに設けられた受圧接触部もしくは押圧接触部が、上記第１及び第２の方向の夫々に直交する第３の方向の弾性変位を生じて、上記第１の導電性シェルに係合することを特徴とするコネクタ装置。
【請求項２】
上記第１の導電性シェルに第１の係合部が設けられるとともに、上記第２の導電性シェルに設けられた受圧接触部もしくは押圧接触部に第２の係合部が設けられ、上記ケーブル側コネクタが上記基板側コネクタに連結されるとき、上記第１の係合部が、上記第２の係合部を係止して、上記第２の導電性シェルに上記第１の導電性シェルと係合した状態を維持させることを特徴とする請求項１記載のコネクタ装置。
【請求項３】
上記第１の係合部が上記第１の導電性シェルに設けられた係合孔とされるとともに、上記第２の係合部が上記係合孔により係止される係合突起とされることを特徴とする請求項２記載のコネクタ装置。
【請求項４】
上記第１の導電性シェルに上記押圧接触部が設けられるとともに上記第２の導電性シェルに上記受圧接触部が設けられることを特徴とする請求項１，２または３記載のコネクタ装置。
【請求項５】
上記押圧接触部が、上記第１の導電性シェルと一体的に形成されて該第１の導電性シェルの内側に突出する弾性片により構成されることを特徴とする請求項４記載のコネクタ装置。
【請求項６】
上記弾性片が屈曲帯状体とされることを特徴とする請求項５記載のコネクタ装置。
【請求項７】
上記受圧接触触部が、上記第２の導電性シェルと一体的に形成された弾性片により構成されることを特徴とする請求項４記載のコネクタ装置。
【発明の詳細な説明】
【技術分野】
【０００１】
本願の特許請求の範囲に記載された発明は、回路基板に取り付けられる基板側コネクタと、複数のケーブルが電気的に接続されたもとで基板側コネクタに連結されるケーブル側コネクタと、を含んで構成されるコネクタ装置に関する。
【背景技術】
【０００２】
複数の比較的細いケーブルを、各種の電気回路部品が取り付けられる回路基板に接続するにあたっては、回路基板に電気的接続がなされて取り付けられる基板側コネクタと、複数のケーブルが電気的に接続されたもとで基板側コネクタに連結されるケーブル側コネクタとが用いられる。ケーブル側コネクタには、複数のケーブルとの電気的接続がなされる複数の導電コンタクトが配された差込部が設けられる。また、基板側コネクタには、ケーブル側コネクタに設けられた差込部が挿入される嵌合部が設けられ、さらに、回路基板との電気的接続がなされたもとで、嵌合部内においてケーブル側コネクタの差込部における複数の導電コンタクトに夫々押圧接触する、複数の導電コンタクトが配される。
【０００３】
基板側コネクタは、嵌合部を形成するとともに複数の導電コンタクトを支持する絶縁ハウジングと、外部からの電磁波ノイズ対策のため、即ち、外部からの電磁波ノイズに対するシールド効果を得るため、絶縁ハウジングを部分的もしくは全体的に覆ってグラウンド接続される、金属製の導電性シェルとを備えて構成される。また、ケーブル側コネクタは、差込部を形成するとともに複数の導電コンタクトを支持する絶縁ハウジングと、外部からの電磁波ノイズ対策のため、即ち、外部からの電磁波ノイズに対するシールド効果を得るため、絶縁ハウジングを部分的もしくは全体的に覆ってグラウンド接続される、金属製の導電性シェルとを備えて構成される。そして、ケーブル側コネクタは、複数の導電コンタクトに複数のケーブルが電気的に接続されたもとで、差込部が基板側コネクタの嵌合部に挿入されて、基板側コネクタに連結される。その際、差込部における複数の導電コンタクトに基板側コネクタの複数の導電コンタクトが夫々押圧接触するものとされ、それにより、ケーブル側コネクタに接続された複数のケーブルと基板側コネクタが取り付けられた回路基板との電気的接続がなされる。
【０００４】
このようにして、ケーブル側コネクタが基板側コネクタに連結されるとき、基板側コネクタにおける導電性シェルにケーブル側コネクタにおける導電性シェルが係合し、それにより、両導電性シェルがグラウンド接続されるとともに、基板側コネクタに対するケーブル側コネクタの連結状態が維持される。そのため、基板側コネクタにおける導電性シェルに対するケーブル側コネクタにおける導電性シェルの係合は、確実かつ堅固に、しかも、容易に行われることが望まれ、従来にあっては、基板側コネクタにおける導電性シェル及びケーブル側コネクタにおける導電性シェルの両者に、斯かる要望に応えることを意図した係止機構を設けることが提案されている（例えば、特許文献１参照。）。
【０００５】
斯かる従来提案されている係止機構を備えたコネクタ装置にあっては、基板側コネクタの絶縁ハウジングを覆う導電性シェルである基板側コネクタシールドシェルの側壁部に係止部が設けられるとともに、ケーブル側コネクタの絶縁ハウジングを覆う導電性シェルであるケーブル側コネクタシールドシェルにおける、基板側コネクタとの連結時に基板側コネクタシールドシェルの側壁部に対向することになる側壁部に、被係止部を有した係合アームが設けられる。そして、ケーブル側コネクタが基板側コネクタに連結されるとき、ケーブル側コネクタシールドシェルの側壁部に設けられた係合アームが、基板側コネクタシールドシェルの側壁部に対接して、それにおける被係止部が基板側コネクタシールドシェルの側壁部に設けられた係止部に係合して係止され、それにより係合アーム全体が係止部によって係止される。
【０００６】
このようにして、ケーブル側コネクタシールドシェルの側壁部に設けられた係合アームが基板側コネクタシールドシェルの側壁部に設けられた係止部により係止されることにより、ケーブル側コネクタシールドシェルが基板側コネクタシールドシェルに係合して、両シールドシェルがグラウンド接続されるとともに、基板側コネクタに対するケーブル側コネクタの連結状態が維持される。
【０００７】
【特許文献１】特開２００３−１６８５１９号公報（第３，４頁、図４，１０）
【発明の開示】
【発明が解決しようとする課題】
【０００８】
上述のように、基板側コネクタシールドシェルの側壁部に係止部が設けられるとともに、ケーブル側コネクタシールドシェルの側壁部に被係止部を有した係合アームが設けられ、ケーブル側コネクタが基板側コネクタに連結されるとき、係合アームにおける被係止部が係止部に係合して係止され、それにより係合アームが基板側コネクタシールドシェルの側壁部に対接する状態におかれることになる係止機構を備えた従来のコネクタ装置にあっては、ケーブル側コネクタの基板側コネクタに対する連結時に、ケーブル側コネクタシールドシェルの側壁部に設けられた係合アームとそれが対接する基板側コネクタシールドシェルの側壁部との間に、微細な塵埃等が挟まってしまう虞がある。また、ケーブル側コネクタの基板側コネクタに対する着脱回数が重ねられると、その虞が高まっていき、一旦、係合アームと基板側コネクタシールドシェルの側壁部との間に塵埃等が挟まってしまうと、そのことが気付かれ難く、当該塵埃等が取り去られるということは考えに難い。
【０００９】
そして、係合アームと基板側コネクタシールドシェルの側壁部との間に塵埃等が挟まってしまう事態が生じると、基板側コネクタシールドシェルと係合アームが設けられたケーブル側コネクタシールドシェルとの相互接触が不良となり、両者の電気的接続状態が良好でなくなってしまう。その結果、基板側コネクタシールドシェルとケーブル側コネクタシールドシェルとのグラウンド接続が良好でなくなり、両シールドシェルによる基板側コネクタとケーブル側コネクタとについての外部からの電磁波ノイズに対するシールド効果が、適正に得られなくなってしまうという問題が生じる。
【００１０】
斯かる点に鑑み、本願の特許請求の範囲に記載された発明は、回路基板に電気的に接続されて取り付けられる基板側コネクタと複数のケーブルが電気的に接続されたもとで基板側コネクタに連結されるケーブル側コネクタとを含んで構成され、ケーブル側コネクタが基板側コネクタに連結されるとき、基板側コネクタにおける導電性シェルに対するケーブル側コネクタにおける導電性シェルの係合が、両シェルの相互接触が不良となって両シェルについてのグラウンド接続が良好でなくなる事態の発生を回避できる構造をもって、確実かつ堅固に、しかも、容易に行われることになるコネクタ装置を提供する。
【課題を解決するための手段】
【００１１】
本願の特許請求の範囲における請求項１から請求項７までのいずれかに記載された発明（以下、本発明という。）に係るコネクタ装置は、第１の絶縁ハウジング, 第１の絶縁ハウジングにより支持されて配列配置される複数の第１の導電コンタクト、及び、第１の絶縁ハウジングを部分的もしくは全体的に覆う第１の導電性シェルを備え、複数の第１の導電コンタクトが回路基板に電気的に接続される状態をもって回路基板に取り付けられる基板側コネクタと、第２の絶縁ハウジング, 第２の絶縁ハウジングにより支持されて配列配置される複数の第２の導電コンタクト、及び、第２の絶縁ハウジングを部分的もしくは全体的に覆う第２の導電性シェルを備え、複数の第２の導電コンタクトに複数のケーブルが電気的に接続されたもとで、基板側コネクタに対してそれに向かう第１の方向に相対移動せしめられ、複数の第２の導電コンタクトを複数の第１の導電コンタクトに夫々接触させる状態をもって基板側コネクタに連結されるケーブル側コネクタとを含んで成り、第１の導電性シェルに押圧接触部もしくは受圧接触部が設けられるとともに第２の導電性シェルに受圧接触部もしくは押圧接触部が設けられ、ケーブル側コネクタが基板側コネクタに連結されるとき、押圧接触部が受圧接触部に第１の方向に直交する第２の方向の押圧力を作用させて当接し、第２の導電性シェルに設けられた受圧接触部もしくは押圧接触部が、第１及び第２の方向の夫々に直交する第３の方向の弾性変位を生じて、第１の導電性シェルに係合するものとされる。
【００１２】
特に、本発明に係るコネクタ装置のうちの、請求項２に記載されたものにあっては、第１の導電性シェルに第１の係合部が設けられるとともに、第２の導電性シェルに設けられた受圧接触部もしくは押圧接触部に第２の係合部が設けられ、ケーブル側コネクタが基板側コネクタに連結されるとき、第１の係合部が、第２の係合部を係止して、第２の導電性シェルに第１の導電性シェルと係合した状態を維持させる。
【００１３】
上述のように構成される本発明に係るコネクタ装置にあっては、基板側コネクタが備える第１の導電性シェル及びケーブル側コネクタが備える第２の導電性シェルが、第１の導電性シェルに押圧接触部が設けられるとともに第２の導電性シェルに受圧接触部が設けられるもの、もしくは、第１の導電性シェルに受圧接触部が設けられるとともに第２の導電性シェルに押圧接触部が設けられるものとされる。そして、ケーブル側コネクタが、基板側コネクタに対してそれに向かう第１の方向に相対移動せしめられて当該基板側コネクタに連結されるとき、第１の導電性シェルもしくは第２の導電性シェルに設けられた押圧接触部が、第２の導電性シェルもしくは第１の導電性シェルに設けられた受圧接触部に、第１の方向に直交する第２の方向の押圧力を作用させて当接し、さらに、第２の導電性シェルに設けられた受圧接触部もしくは押圧接触部が、第１及び第２の方向の夫々に直交する第３の方向の弾性変位を生じて、第１の導電性シェルに係合する。
【００１４】
このような第１の導電性シェルに対する第２の導電性シェルに設けられた受圧接触部もしくは押圧接触部の係合は、例えば、第１の導電性シェルに第１の係合部が設けられるとともに、第２の導電性シェルに設けられた受圧接触部もしくは押圧接触部に第２の係合部が設けられ、ケーブル側コネクタが基板側コネクタに連結されるとき、第１の係合部が第２の係合部を係止することにより行われる。それにより、第２の導電性シェルが第１の導電性シェルと係合した状態を維持する状態におかれる。
【発明の効果】
【００１５】
上述の本発明に係るコネクタ装置にあっては、ケーブル側コネクタが基板側コネクタに連結されるとき、第１の導電性シェルもしくは第２の導電性シェルに設けられた押圧接触部が、第２の導電性シェルもしくは第１の導電性シェルに設けられた受圧接触部に押圧力を作用させて当接するとともに、第２の導電性シェルに設けられた受圧接触部もしくは押圧接触部が弾性変位を生じて第１の導電性シェルに係合し、それによって、第２の導電性シェルが第１の導電性シェルとの係合を維持する状態におかれる。そのため、ケーブル側コネクタが基板側コネクタに向かう方向に移動せしめられて当該基板側コネクタに連結される際における、基板側コネクタが備える第１の導電性シェルに対するケーブル側コネクタが備える第２の導電性シェルの係合が、確実かつ堅固に行われ、しかも、ケーブル側コネクタを基板側コネクタに対してそれに向かう方向に相対移動させるだけの簡単な操作により容易に行われる。
【００１６】
それに加えて、ケーブル側コネクタが基板側コネクタに連結されるべく当該基板側コネクタに向かって移動せしめられる方向が第１の方向とされるもとで、第１の導電性シェルもしくは第２の導電性シェルに設けられた押圧接触部が、第２の導電性シェルもしくは第１の導電性シェルに設けられた受圧接触部に、第１の方向に直交する第２の方向の押圧力を作用させて当接し、さらに、第２の導電性シェルに設けられた受圧接触部もしくは押圧接触部が、第１及び第２の方向の夫々に直交する第３の方向の弾性変位を生じて、第１の導電性シェルに係合する。それにより、ケーブル側コネクタが基板側コネクタに連結されるべく当該基板側コネクタに向かって第１の方向に移動せしめられるとき、受圧接触部とそれに第２の方向の押圧力を作用させて当接する押圧接触部とは、互いに直交する第１の方向及び第３の方向の二方向における相対摺動を行って相互接触するものとなる。従って、受圧接触部と押圧接触部とにあっては、たとえ、いずれか一方あるいは両者の接触面部に微細な塵埃等が付着したとしても、それが両者の相対摺動により除去されて、両者の間に微細な塵埃等が挟まってしまうことがなく、ケーブル側コネクタの基板側コネクタに対する着脱回数が重ねられても、両者の相互接触が良好なものとされる。
【００１７】
その結果、第１の導電性シェルを備えた基板側コネクタに第２の導電性シェルを備えたケーブル側コネクタが連結されたもとにおいて、押圧接触部もしくは受圧接触部が設けられた第１の導電性シェルと受圧接触部もしくは押圧接触部が設けられた第２の導電性シェルとについてのグラウンド接続が良好でなくなる事態の発生を回避できることになる。そして、それに伴い、第１の導電性シェル及び第２の導電性シェルによる、基板側コネクタ及びケーブル側コネクタについての外部からの電磁波ノイズに対するシールド効果が、適正に得られなくなってしまうという問題は生じない。
【発明を実施するための最良の形態】
【００１８】
本発明を実施するための最良の形態は、以下に述べられる本発明についての実施例をもって説明される。
【実施例】
【００１９】
図１は、本発明に係るコネクタ装置の一例を成すコネクタ装置１１を示す。
【００２０】
コネクタ装置１１は、基板側コネクタ１２とケーブル側コネクタ１３とを含んで構成される。基板側コネクタ１２は、各種の電気回路部品が取り付けられる回路基板（図示が省略されている）に、それとの電気的接続がなされて取り付けられる。また、ケーブル側コネクタ１３は、複数のケーブル１４が電気的に接続されたもとで基板側コネクタ１２に着脱可能に連結される。
【００２１】
基板側コネクタ１２は、図２にも示されるように、合成樹脂等の絶縁材料によって形成された絶縁ハウジング１５、及び、外部からの電磁波ノイズ対策のため、即ち、外部からの電磁波ノイズに対するシールド効果を得るため、絶縁ハウジング１５を部分的に覆うものとされた、金属製の導電性シェル１６を備えている。絶縁ハウジング１５は、後述されるケーブル側コネクタ１３における差込部２２が挿入される嵌合部１７を形成している。また、導電性シェル１６は、その複数箇所に形成された係止片が絶縁ハウジング１５により係止されて、絶縁ハウジング１５に固定される。
【００２２】
ケーブル側コネクタ１３は、図３にも示されるように、合成樹脂等の絶縁材料によって形成された絶縁ハウジング２０、及び、外部からの電磁波ノイズ対策のため、即ち、外部からの電磁波ノイズに対するシールド効果を得るため、絶縁ハウジング２０を部分的に覆うものとされた、金属製の導電性シェル２１を備えている。絶縁ハウジング２０は、基板側コネクタ１２における嵌合部１７に挿入される差込部２２を形成している。また、導電性シェル２１は、その複数箇所に形成された係止片が絶縁ハウジング２０により係止されて、絶縁ハウジング２０に固定される。
【００２３】
ケーブル側コネクタ１３における差込部２２の基板側コネクタ１２における嵌合部１７の内部への挿入は、図１及び図２に示される嵌合部１７の開口端を通じて行われ、それにより、ケーブル側コネクタ１３が基板側コネクタ１２に連結される。
【００２４】
基板側コネクタ１２における嵌合部１７内には、複数の導電コンタクト１８が絶縁ハウジング１５により支持されて配列配置されている。図２における IV-IV線断面をあらわす図４に示されるように、複数の導電コンタクト１８の夫々は、嵌合部１７の開口端側において二股に分かれたフォーク状部１８ａを形成しており、また、嵌合部１７の開口端とは反対側において絶縁ハウジング１５からその外部に伸びる接続端子部１８ｂを形成している。接続端子部１８ｂは、基板側コネクタ１２が取り付けられる回路基板に設けられた回路接続端子部に電気的に接続され、それにより、基板側コネクタ１２の回路基板との電気的接続がなされる。
【００２５】
導電性シェル１６にあっては、複数の導電コンタクト１８の配列方向における両端部１６Ａ及び１６Ｂに、ケーブル側コネクタ１３が基板側コネクタ１２に連結されるときケーブル側コネクタ１３が備える導電性シェル２１に接触する、押圧接触部２５Ａ及び２５Ｂが夫々設けられている。これらの押圧接触部２５Ａ及び２５Ｂの各々は、導電性シェル１６と一体的に形成されて導電性シェル１６の内側に突出するものとされた、屈曲帯状体を成す弾性片により形成されており、導電性シェル２１に接触するとき、導電性シェル２１に複数の導電コンタクト１８の配列方向に沿う方向の押圧力を及ぼす。
【００２６】
さらに、導電性シェル１６における端部１６Ａ及び１６Ｂには、ケーブル側コネクタ１３が基板側コネクタ１２に連結されるときケーブル側コネクタ１３が備える導電性シェル２１が係合する係合部とされる、係合孔２６Ａ及び２６Ｂが夫々形成されている。
【００２７】
ケーブル側コネクタ１３における差込部２２には、絶縁ハウジング２０により支持された複数の導電コンタクト２７の部分が配列配置されている。そして、図３における V-V線断面をあらわす図５に示されるように、複数の導電コンタクト２７の夫々にあっては、その差込部２２側とは反対側の部分が、絶縁ハウジング２０上においてケーブル１４の中心導体２８が、例えば、半田付けにより接続されるケーブル接続部２７ａを形成している。それにより、絶縁ハウジング２０上において、複数のケーブル接続部２７ａが配列配置されていることになり、それらに複数のケーブル１４の中心導体２８が夫々接続されている。また、複数のケーブル１４の外部導体を連結する外部導体連結部２９には、導電性シェル２１に設けられた接触片３０が接触している。さらに、複数のケーブル１４にあっては、エポキシ樹脂等の絶縁接着剤４０が用いられて導電性シェル２１に接着され、その位置が固定されることによる補強が図られている（図１及び図３においては、絶縁接着剤４０の図示が省略されている。）。
【００２８】
このようにして、複数のケーブル１４の中心導体２８が複数の導電コンタクト２７におけるケーブル接続部２７ａに夫々接続されるとともに、導電性シェル２１に設けられた接触片３０が複数のケーブル１４の外部導体連結部２９に接触するものとされて、複数のケーブル１４がケーブル側コネクタ１３に電気的に接続される。そして、複数のケーブル１４の夫々は、絶縁ハウジング２０における差込部２２とは反対側から、ケーブル側コネクタ１３の外部へと伸びており、図３に示されるように、ケーブル側コネクタ１３における差込部２２とは反対側においては、複数のケーブル１４が、複数の導電コンタクト２７の配列方向に沿って配列配置されている。
【００２９】
導電性シェル２１は、図６に単独で示されるように、差込部２２を形成する絶縁ハウジング２０にそれを挟んで当接する、複数の導電コンタクト２７の配列方向に沿って伸びる開口端部３１を有している。そして、導電性シェル２１における、開口端部３１の両端の夫々の外方に位置することになる、複数の導電コンタクト２７の配列方向における両端部２１Ａ及び２１Ｂに、受圧接触部３２Ａ及び３２Ｂが夫々設けられている。これらの受圧接触部３２Ａ及び３２Ｂには、ケーブル側コネクタ１３が基板側コネクタ１２に連結されるとき、基板側コネクタ１２が備える導電性シェル１６に設けられた押圧接触部２５Ａ及び２５Ｂが夫々当接する。
【００３０】
受圧接触部３２Ａは、導電性シェル２１と一体的に形成されて導電性シェル２１における端部２１ＡからＵ字状に伸びる弾性片によって構成されており、係合突起３３Ａが設けられている。この係合突起３３Ａは、ケーブル側コネクタ１３が基板側コネクタ１２に連結されるとき、基板側コネクタ１２が備える導電性シェル１６に設けられた係合孔２６Ａにより係止される係合部を形成している。また、受圧接触部３２Ｂは、導電性シェル２１と一体的に形成されて導電性シェル２１における端部２１ＢからＵ字状に伸びる弾性片によって構成されており、係合突起３３Ｂが設けられている。この係合突起３３Ｂは、ケーブル側コネクタ１３が基板側コネクタ１２に連結されるとき、基板側コネクタ１２が備える導電性シェル１６に設けられた係合孔２６Ｂにより係止される係合部を形成している。
【００３１】
このようなもとで、複数のケーブル１４が電気的に接続されたケーブル側コネクタ１３が、回路基板に電気的接続がなされて取り付けられた基板側コネクタ１２に連結される際には、先ず、図７に示されるように、複数のケーブル１４が電気的に接続されたケーブル側コネクタ１３が、それにおける差込部２２が基板側コネクタ１２における嵌合部１７の開口端に対向するものとなる位置をとるものとされる。その際、基板側コネクタ１２における導電性シェル１６の図７における上方の面と、ケーブル側コネクタ１３における導電性シェル２１の図７における上方の面とが、位置的に相互対応するものとされる。
【００３２】
次に、ケーブル側コネクタ１３が、図７に示される状態から、基板側コネクタ１２に対して、当該基板側コネクタ１２に向かう第１の方向に相対移動せしめられて、図８に示されるように、ケーブル側コネクタ１３における差込部２２が、基板側コネクタ１２における嵌合部１７に、その開口端を通じて挿入される。それにより、ケーブル側コネクタ１３が基板側コネクタ１２に連結された状態とされる。
【００３３】
このとき、基板側コネクタ１２における嵌合部１７内に配列配置された複数の導電コンタクト１８のフォーク状部１８ａの夫々が、ケーブル側コネクタ１３における差込部２２に設けられた複数の導電コンタクト２７のうちの対応するものに、それを挟んで押圧接触する。それにより、ケーブル側コネクタ１３に電気的に接続された複数のケーブル１４の夫々の中心導体２８が、ケーブル側コネクタ１３が備える導電コンタクト２７及び基板側コネクタ１２が備える導電コンタクト１８を通じて、導電コンタクト１８が形成する接続端子部１８ｂが接続された回路基板における回路接続端子部に連結されることになる。
【００３４】
また、それとともに、図９に示されるように、基板側コネクタ１２が備える導電性シェル１６における端部１６Ａに設けられた押圧接触部２５Ａが、ケーブル側コネクタ１３が備える導電性シェル２１における端部２１Ａに設けられた受圧接触部３２Ａに、複数の導電コンタクト１８の配列方向に沿う方向である、上述の第１の方向に直交する第２の方向の押圧力を作用させて当接する。斯かる際における第１の方向に直交する第２の方向の押圧力は、屈曲帯状体を成す弾性片により形成された押圧接触部２５Ａが有する弾性によってもたらされる。
【００３５】
同様に、基板側コネクタ１２が備える導電性シェル１６における端部１６Ｂに設けられた押圧接触部２５Ｂが、ケーブル側コネクタ１３が備える導電性シェル２１における端部２１Ｂに設けられた受圧接触部３２Ｂに、複数の導電コンタクト１８の配列方向に沿う方向である、上述の第１の方向に直交する第２の方向の押圧力を作用させて当接する。斯かる際における第１の方向に直交する第２の方向の押圧力も、屈曲帯状体を成す弾性片により形成された押圧接触部２５Ｂが有する弾性によってもたらされる。
【００３６】
さらに、ケーブル側コネクタ１３が、基板側コネクタ１２に連結されるべく、基板側コネクタ１２に対して、当該基板側コネクタ１２に向かう第１の方向に相対移動せしめられ、ケーブル側コネクタ１３における差込部２２が、基板側コネクタ１２における嵌合部１７に、その開口端を通じて挿入されるとき、ケーブル側コネクタ１３が備える導電性シェル２１における端部２１Ａに設けられた受圧接触部３２Ａは、それに基板側コネクタ１２が備える導電性シェル１６における端部１６Ａに設けられた押圧接触部２５Ａが第１の方向に直交する第２の方向の押圧力を作用させて当接するもとで、図１０に示されるように、第１の方向及び第２の方向の夫々に直交する第３の方向における弾性変位である、Ｕ字形状を閉じる方向の弾性変位を生じて、それに設けられた係合突起３３Ａを、導電性シェル１６における端部１６Ａの内側の面に当接させる。そして、押圧接触部２５Ａが第１の方向に直交する第２の方向の押圧力を作用させて当接するもとで、係合突起３３Ａを導電性シェル１６における端部１６Ａの内側の面に当接させた受圧接触部３２Ａは、ケーブル側コネクタ１３の基板側コネクタ１２に対する第１の方向の相対移動に伴って、押圧接触部２５Ａに対して第２の方向及び第３の方向の夫々に直交する第１の方向に相対移動する。
【００３７】
その後、図１１に示されるように、受圧接触部３２Ａに設けられた係合突起３３Ａが、導電性シェル１６における端部１６Ａに設けられた係合孔２６Ａに係合して、当該係合孔２６Ａによって係止される。その際、受圧接触部３２Ａは、それに押圧接触部２５Ａが第２の方向の押圧力を作用させて当接するもとで、第１の方向及び第２の方向の夫々に直交する第３の方向における弾性変位である、Ｕ字形状を開く方向の弾性変位を生じる。また、受圧接触部３２Ａに設けられた係合突起３３Ａが係合孔２６Ａにより係止されるとき、ケーブル側コネクタ１３の基板側コネクタ１２との連結が完了し、ケーブル側コネクタ１３の基板側コネクタ１２に対する第１の方向の相対移動が終了する。
【００３８】
このようにして受圧接触部３２Ａに設けられた係合突起３３Ａが係合孔２６Ａにより係止されるまでにおける、受圧接触部３２Ａの押圧接触部２５Ａに対する第１の方向及び第３の方向の相対移動により、受圧接触部３２Ａと押圧接触部２５Ａとは、第１の方向及び第３の方向の二方向における相互摺動を生じる。それにより、受圧接触部３２Ａと押圧接触部２５Ａとにあっては、たとえ、いずれか一方あるいは両者の接触面部に微細な塵埃等が付着したとしても、それが両者の相対摺動により除去されて、両者の間に微細な塵埃等が挟まってしまうことがなく、ケーブル側コネクタ１３の基板側コネクタ１２に対する着脱回数が重ねられても、両者の相互接触が常時良好なものとされる。
【００３９】
また、ケーブル側コネクタ１３における差込部２２が基板側コネクタ１２における嵌合部１７にその開口端を通じて挿入されるとき、ケーブル側コネクタ１３が備える導電性シェル２１における端部２１Ｂに設けられた受圧接触部３２Ｂも、それに基板側コネクタ１２が備える導電性シェル１６における端部１６Ｂに設けられた押圧接触部２５Ｂが第１の方向に直交する第２の方向の押圧力を作用させて当接するもとで、第１の方向及び第２の方向の夫々に直交する第３の方向における弾性変位である、Ｕ字形状を閉じる方向の弾性変位を生じて、それに設けられた係合突起３３Ｂを、導電性シェル１６における端部１６Ｂの内側の面に当接させる。そして、押圧接触部２５Ｂが第１の方向に直交する第２の方向の押圧力を作用させて当接するもとで、係合突起３３Ｂを導電性シェル１６における端部１６Ｂの内側の面に当接させた受圧接触部３２Ｂは、ケーブル側コネクタ１３の基板側コネクタ１２に対する第１の方向の相対移動に伴って、押圧接触部２５Ｂに対して第２の方向及び第３の方向の夫々に直交する第１の方向に相対移動する。
【００４０】
その後、受圧接触部３２Ｂに設けられた係合突起３３Ｂが、導電性シェル１６における端部１６Ｂに設けられた係合孔２６Ｂに係合して、当該係合孔２６Ｂによって係止される。その際、受圧接触部３２Ｂは、それに押圧接触部２５Ｂが第２の方向の押圧力を作用させて当接するもとで、第１の方向及び第２の方向の夫々に直交する第３の方向における弾性変位である、Ｕ字形状を開く方向の弾性変位を生じる。また、受圧接触部３２Ｂに設けられた係合突起３３Ｂが係合孔２６Ｂにより係止されるとき、ケーブル側コネクタ１３の基板側コネクタ１２との連結が完了し、ケーブル側コネクタ１３の基板側コネクタ１２に対する第１の方向の相対移動が終了する。
【００４１】
このようにして受圧接触部３２Ｂに設けられた係合突起３３Ｂが係合孔２６Ｂにより係止されるまでにおける、受圧接触部３２Ｂの押圧接触部２５Ｂに対する第１の方向及び第３の方向の相対移動により、受圧接触部３２Ｂと押圧接触部２５Ｂとは、第１の方向及び第３の方向の二方向における相互摺動を生じる。それにより、受圧接触部３２Ｂと押圧接触部２５Ｂとにあっては、たとえ、いずれか一方あるいは両者の接触面部に微細な塵埃等が付着したとしても、それが両者の相対摺動により除去されて、両者の間に微細な塵埃等が挟まってしまうことがなく、ケーブル側コネクタ１３の基板側コネクタ１２に対する着脱回数が重ねられても、両者の相互接触が常時良好なものとされる。
【００４２】
上述のように、本発明に係るコネクタ装置の一例を成すコネクタ装置１１にあっては、ケーブル側コネクタ１３が基板側コネクタ１２に連結されるとき、ケーブル側コネクタ１３が備える導電性シェル２１における受圧接触部３２Ａ及び３２Ｂに夫々形成された係合突起３３Ａ及び３３Ｂが，基板側コネクタ１２が備える導電性シェル１６に設けられた係合孔２６Ａ及び２６Ｂに夫々係合して、当該係合孔２６Ａ及び２６Ｂによって係止され、それにより、導電性シェル２１が導電性シェル１６に係合した状態が維持される。従って、ケーブル側コネクタ１３が基板側コネクタ１２に連結される際における、基板側コネクタ１２が備える導電性シェル１６に対するケーブル側コネクタ１３が備える導電性シェル２１の係合が確実かつ堅固に行われ、しかも、この係合は、ケーブル側コネクタ１３を基板側コネクタ１２に向かう方向に移動させるだけの簡単な操作により容易に行われることになる。
【００４３】
また、ケーブル側コネクタ１３が備える導電性シェル２１における端部２１Ａ及び２１Ｂに夫々設けられた受圧接触部３２Ａ及び３２Ｂと、基板側コネクタ１２が備える導電性シェル１６における端部１６Ａ及び１６Ｂに夫々設けられた押圧接触部２５Ａ及び２５Ｂとが、前述のように常時良好な相互接触状態におかれるので、導電性シェル１６を備えた基板側コネクタ１２に導電性シェル２１を備えたケーブル側コネクタ１３が連結されたもとにおいて、押圧接触部２５Ａ及び２５Ｂが設けられた導電性シェル１６と受圧接触部３２Ａ及び３２Ｂが設けられた導電性シェル２１とについてのグラウンド接続が良好でなくなる事態の発生が回避される。そして、それに伴い、導電性シェル１６及び導電性シェル２１による、基板側コネクタ１２及びケーブル側コネクタ１３についての外部からの電磁波ノイズに対するシールド効果が、適正に得られなくなってしまうという問題は生じない。
【００４４】
上述の本発明に係るコネクタ装置の一例を成すコネクタ装置１１にあっては、基板側コネクタ１２が備える導電性シェル１６に係合部を成す係合孔２６Ａ及び２６Ｂが設けられ、ケーブル側コネクタ１３が備える導電性シェル２１に設けられた受圧接触部３２Ａ及び３２Ｂに係合部をなす係合突起３３Ａ及び３３Ｂが形成されて、係合突起３３Ａ及び３３Ｂが、係合孔２６Ａ及び２６Ｂに係合して、当該係合孔２６Ａ及び２６Ｂにより係止されるようになされているが、これとは異なり、導電性シェル１６に、係合突起３３Ａ及び３３Ｂに夫々相当する係合突起が形成され、導電性シェル２１に、係合孔２６Ａまたは係合孔２６Ｂに相当する係合孔が、導電性シェル１６に形成された係合突起を係止するものとして設けられてもよい。
【００４５】
また、基板側コネクタ１２が備える導電性シェル１６に設けられる係合部、及び、ケーブル側コネクタ１３が備える導電性シェル２１に設けられた受圧接触部３２Ａ及び３２Ｂに形成される係合部は、上述のような係合孔２６Ａ及び２６Ｂと係合突起３３Ａ及び３３Ｂとの組合せに限られるものでなく、他の様々な形をとり得るものである。
【００４６】
それに加えて、上述の本発明に係るコネクタ装置の一例を成すコネクタ装置１１にあっては、基板側コネクタ１２が備える導電性シェル１６に押圧接触部２５Ａ及び２５Ｂが設けられ、ケーブル側コネクタ１３が備える導電性シェル２１に受圧接触部３２Ａ及び３２Ｂが設けられて、押圧接触部２５Ａ及び２５Ｂが夫々受圧接触部３２Ａ及び３２Ｂに押圧力を作用させて接触するようにされているが、これとは異なり、導電性シェル２１に押圧接触部２５Ａ及び２５Ｂに相当する押圧接触部が設けられ、導電性シェル１６に受圧接触部３２Ａ及び３２Ｂに相当する受圧接触部が設けられて、導電性シェル２１に設けられた押圧接触部が導電性シェル１６に設けられた受圧接触部に前述の第２の方向の押圧力を作用させて接触するようにされてもよい。斯かる場合には、導電性シェル２１に設けられた押圧接触部が、係合突起３３Ａ及び３３Ｂに相当する係合部が形成されるとともに、受圧接触部３２Ａ及び３２Ｂと同様に、前述の第３の方向の弾性変位を行い得るものとされる。そして、導電性シェル２１に設けられた押圧接触部に形成された係合部が導電性シェル１６に設けられた係合孔２６Ａ及び２６Ｂ等の係合部よって係止され、それにより、導電性シェル２１が導電性シェル１６に係合した状態が維持される。
【００４７】
さらに、上述の本発明に係るコネクタ装置の一例を成すコネクタ装置１１においては、基板側コネクタ１２において導電性シェル１６が絶縁ハウジング１５を部分的に覆うものとされ、ケーブル側コネクタ１３において導電性シェル２１が絶縁ハウジング２０を部分的に覆うものとされているが、本発明に係るコネクタ装置にあっては、上述の基板側コネクタ１２に相当する基板側コネクタにおいて、導電性シェルが絶縁ハウジングを全体的に覆うものとされ、上述のケーブル側コネクタ１３に相当するケーブル側コネクタにおいて、導電性シェルが絶縁ハウジングを全体的に覆うものとされてもよい。
【産業上の利用可能性】
【００４８】
以上のような本発明に係るコネクタ装置は、回路基板に電気的に接続されて取り付けられる基板側コネクタに複数のケーブルが電気的に接続されたケーブル側コネクタが連結されるとき、基板側コネクタにおける導電性シェルに対するケーブル側コネクタにおける導電性シェルの係合が、両シェルの相互接触が不良となって両シェルについてのグラウンド接続が良好でなくなる事態の発生を回避できる構造をもって、確実かつ堅固に、しかも、容易に行われることになるものとして、様々な電子機器等に広く適用され得るものである。
【図面の簡単な説明】
【００４９】
【図１】本発明に係るコネクタ装置の一例を示す斜視図である。
【図２】本発明に係るコネクタ装置の一例を構成する基板側コネクタを示す斜視図である。
【図３】本発明に係るコネクタ装置の一例を構成するケーブル側コネクタを示す斜視図である。
【図４】図２における IV-IV線断面をあらわす断面図である。
【図５】図３における V-V線断面をあらわす断面図である。
【図６】図３に示されるケーブル側コネクタが備える導電性シェルを示す斜視図である。
【図７】図２に示される基板側コネクタに、図３に示されるケーブル側コネクタが連結されるに際しての位置関係を示す断面図である。
【図８】図２に示される基板側コネクタに、図３に示されるケーブル側コネクタが連結された状態を示す断面図である。
【図９】図２に示される基板側コネクタと図３に示されるケーブル側コネクタとの連結状態の説明に供される部分断面図である。
【図１０】図２に示される基板側コネクタと図３に示されるケーブル側コネクタとの連結状態の説明に供される断面図である。
【図１１】図２に示される基板側コネクタと図３に示されるケーブル側コネクタとの連結状態の説明に供される断面図である。
【符号の説明】
【００５０】
１１・・・コネクタ装置，  １２・・・基板側コネクタ，  １３・・・ケーブル側コネクタ，  １４・・・ケーブル，  １５，２０・・・絶縁ハウジング，  １６，２１・・・導電性シェル，  １７・・・嵌合部，  １８，２７・・・導電コンタクト，  ２２・・・差込部，  ２５Ａ，２５Ｂ・・・押圧接触部，  ２６Ａ，２６Ｂ・・・係合孔，  ２８・・・中心導体，  ２９・・・外部導体連結部，  ３０・・・接触片，  ３１・・・開口端部、  ３２Ａ，３２Ｂ・・・受圧接触部，  ３３Ａ，３３Ｂ・・・係合突起，  ４０・・・絶縁接着剤
【図１】
2008140555.tif 000003
【図２】
2008140555.tif 000004
【図３】
2008140555.tif 000005
【図４】
2008140555.tif 000006
【図５】
2008140555.tif 000007
【図６】
2008140555.tif 000008
【図７】
2008140555.tif 000009
【図８】
2008140555.tif 000010
【図９】
2008140555.tif 000011
【図１０】
2008140555.tif 000012
【図１１】
2008140555.tif 000013